(57)【特許請求の範囲】
【請求項１】
開閉可能な複数に分割された外カバーと、これら複数の外カバーの閉鎖に伴って作動するインターロックスイッチとを具えた画像形成装置の安全装置において、
複数の外カバーのうちある順序で最後に閉鎖される特定の外カバーにのみ連動するインターロックスイッチを設けると共に、複数の外カバーの閉鎖順序が正規と異なる場合に、特定の外カバー以外の外カバーと連動しこの特定の外カバーの閉鎖を防止する閉鎖防止部材を配することによって、インターロックスイッチの誤動作を防止し、
一方、外カバー以外の物を前記閉鎖防止部材に当接してインターロックスイッチを不正に動作状態にしたまま、他の外カバーを開放状態にした場合、前記物を離して不正なスイッチ操作を止めた後、この物の除去に伴うインターロックスイッチの動作解除に連動した閉鎖防止部材が、初期位置に復帰することによって、インターロックスイッチの誤動作を回避することを特徴とする画像形成装置の安全装置。
【請求項２】
開閉可能な複数に分割された外カバーと、これら複数の外カバーの閉鎖に伴って作動するインターロックスイッチとを具えた画像形成装置の安全装置において、
複数の外カバーのうちある順序で最後に閉鎖される特定の外カバーにのみ連動するインターロックスイッチを設けると共に、複数の外カバーの閉鎖順序が正規と異なる場合に、特定の外カバー以外の外カバーと連動しこの特定の外カバーの閉鎖を防止する閉鎖防止部材を配することによって、インターロックスイッチの誤動作を防止し、
一方、他のカバーに連動する閉鎖防止部材の初期位置復帰をインターロックスイッチの動作解除に連動する部材の初期位置復帰の直前まで待機させることによってインターロックスイッチの誤動作を回避することを特徴とする画像形成装置の安全装置。
【発明の詳細な説明】
【０００１】
【発明の属する技術分野】
複写機、レーザプリンタ等の画像形成装置における安全装置に関する。
【０００２】
【従来の技術】
従来から複写機等の画像形成装置の安全装置においては、開閉可能な複数に分割された外カバーと、これら複数の外カバーの閉鎖に伴って作動するインターロックスイッチとを具えた安全装置が採用されている。この従来の安全装置について説明すると、画像形成装置本体内部には画像形成を行なうための感光体やその他のユニット部材（現像ユニット等）が着脱可能に設けられ、これら各ユニットは正確に装着されていないと、感光体が傷付いたり、周囲の重要部材が破損する等の不具合を招く恐れがあるため、従来からユニットの不良装着時等では外カバーの閉鎖時に異常状態を検出できるように安全装置が設けられているのが普通である。この安全装置はインターロックスイッチ等から構成され外カバーの閉鎖時に作動するものである。従って、ユニットの不良装着時等ではインターロックスイッチが作動しないためコピー動作を不能とし画像形成装置の安全性が確保される。
【０００３】
【発明が解決しようとする課題】
ところで前記のような従来の画像形成装置の安全装置の場合には、複数の外カバーに対応してそれぞれインターロックスイッチが配されているため、外カバーの構成が複雑化すると共に、インターロックスイッチが複数個必要になりコストが嵩む原因となっている。また、複数のインターロックスイッチが必要になることから、これらインターロックスイッチの接点不良により画像形成装置の誤動作を誘発する原因を引き起す可能性が多くなるという問題がある。
【０００４】
そこでこの発明の目的は、前記のような従来の画像形成装置の安全装置のもつ問題を解消し、外カバーの構成を簡略化すると共にインターロックスイッチによる画像形成装置の安全性及び信頼性の向上を図れる画像形成装置の安全装置を提供するにある。
【０００５】
【課題を解決するための手段】
この発明は、前記のような目的を達成するために、開閉可能な複数に分割された外カバーと、これら複数の外カバーの閉鎖に伴って作動するインターロックスイッチとを具えた画像形成装置の安全装置において、請求項１に記載の発明は、複数の外カバーのうちある順序で最後に閉鎖される特定の外カバーにのみ連動するインターロックスイッチを設けると共に、複数の外カバーの閉鎖順序が正規と異なる場合に、特定の外カバー以外の外カバーと連動しこの特定の外カバーの閉鎖を防止する閉鎖防止部材を配することによって、インターロックスイッチの誤動作を防止し、一方、外カバー以外の物を前記閉鎖防止部材に当接してインターロックスイッチを不正に動作状態にしたまま、他の外カバーを開放状態にした場合、前記物を離して不正なスイッチ操作を止めた後、この物の除去に伴うインターロックスイッチの動作解除に連動した閉鎖防止部材が、初期位置に復帰することによって、インターロックスイッチの誤動作を回避することを特徴とするものである。
【０００７】
請求項２に記載の発明は、開閉可能な複数に分割された外カバーと、これら複数の外カバーの閉鎖に伴って作動するインターロックスイッチとを具えた画像形成装置の安全装置において、複数の外カバーのうちある順序で最後に閉鎖される特定の外カバーにのみ連動するインターロックスイッチを設けると共に、複数の外カバーの閉鎖順序が正規と異なる場合に、特定の外カバー以外の外カバーと連動しこの特定の外カバーの閉鎖を防止する閉鎖防止部材を配することによって、インターロックスイッチの誤動作を防止し、一方、他のカバーに連動する閉鎖防止部材の初期位置復帰をインターロックスイッチの動作解除に連動する部材の初期位置復帰の直前まで待機させることによってインターロックスイッチの誤動作を回避することを特徴とするものである。
【０００８】
【発明の実施の形態】
図１〜３はこの発明の第１実施形態を示している。そして、本発明の特徴である安全装置２は複写機１等の画像形成装置の外カバー４の閉鎖に伴ってのみ、動作するように図１，２では斜線部分（右側）に設けられている。外カバー３，４は複写機１本体側の支軸（図示せず）を中心として回動可能に設けられ、これら外カバー３，４の内側には安全装置２を動作させるための突起部５，６がそれぞれ固設されている。ここで外カバー４の正面板部４ａは外カバー３の側面板部３ａの端面よりも内側に延出された延出板７が形成されている。従って、外カバー３，４の閉鎖時には側面板部５ａの端面と延出板７とは当接するため、外カバー４は外カバー３の内方に位置する。
【０００９】
そして、図３（ａ）〜（ｃ）に示すように安全装置２は支軸８，９を中心として、回動可能に設けられた回動レバー１０，１１とインターロックスイッチ２５とにより構成されている。回動レバー１０，１１の各支軸８，９にはコイルバネ（図示せず）が設けられ、このコイルバネによって回動レバー１０，１１が復帰するように付勢力が付勢されている。尚この例では、インターロックスイッチとしてはマイクロスイッチが使用されている。回動レバー１０，１１は鉤部１２，１３と押圧部１４，１５とを有し、図３（ａ）に示すように外カバー３，４の閉鎖以前には各鉤部１２，１３は互いに係合している。１６はインターロックスイッチ２５を動作（ＯＮ／ＯＦＦ）させるための押圧片である。このような安全装置２の場合には、図３（ｂ）に示すように、通常の外カバーの閉鎖順序としては先ず最初に外カバー３の閉鎖が行われる（正規の順序）。
【００１０】
これによって、外カバー３の突起部５によって回動レバー１０の押圧部１４が押圧されると共に、回動レバー１０が回動（図では、反時計方向）するため鉤部１２と鉤部１３との係合が解除される。そして、図３（ｃ）に示すように今度は外カバー４が閉鎖されることにより外カバー４の突起部６によって回動レバー１１の押圧部１５が押圧されるため、押圧片１６によってインターロックスイッチ２５の押圧レバー１８が押されこのインターロックスイッチ２５が動作（ＯＮ）することとなる。この状態で始めて外カバーの閉鎖が完了し、複写機１のコピー動作が可能となる。
【００１１】
ここで、例えば前述の閉鎖順序とは逆に図３（ａ）において外カバー３よりも先に外カバー４を閉鎖しようとしても、鉤部１２，１３は互いに係合しているため、外カバー４を閉鎖することはできない。これによって、外カバー４は最後に閉鎖される外カバーとなるため安全装置は、この外カバー４によって動作される安全装置２のみ設ければ良いことから、安全装置部品の低減によるコスト削減が可能となる。
【００１２】
図４は本発明の第２実施形態を示す。この第２実施形態は、第１実施形態の構成とほぼ同様であり、鉤部１２の上面部が斜切されているだけであるがこの斜切部１９によって、例えば図４（ａ）に示すように棒片２０等により回動レバー１１の押圧部１５が押圧された場合でも図４（ｂ），（ｃ）に示すように回動レバー１０の鉤部１２は斜切部１９に沿って、回動（復帰）するため図４（ｄ）に示すように再度鉤部１２，１３とが係合しその初期状態に復帰する。これによって、外カバーではなく棒片２０等により故意に安全装置を動作させようとした場合においても、インターロックスイッチの誤動作を防止して複写機１等の画像形成装置の信頼性の向上を図ることができる。
【００１３】
図５は本発明の第３実施形態を示す。この第３実施形態は、第１実施形態の構成とほぼ同様であるが、回動レバー１０の押圧部１５の後端部にはピン２１が回動レバー１０の押圧部１５の後部側には半月形状のリブ２２がそれぞれ設けられている。そして、例えば外カバーではなく棒片２０等により故意に安全装置を動作させようとした場合において、図５（ａ）に示すように棒片２０等により押圧された回動レバー１１のリブ２２とピン２１とが当接するため、この初期状態に復帰する直前には鉤部１２，１３との係合が阻止され一旦待機することになる。そして、その後図５（ｂ）に示すように回動レバー１０，１１の復帰力によりリブ２２とピン２１とが当接が解除されるため、図５（ｃ）に示すように再度鉤部１２，１３とが係合しその初期状態に復帰する。これによって、第２実施形態と同様外カバーではなく棒片２０等により故意に安全装置を動作させようとした場合においても、インターロックスイッチの誤動作を防止して複写機１等の画像形成装置の信頼性の向上を図ることができる。特に本第３実施形態ではリブ２２とピン２１との当接によって初期状態への復帰が比較的緩やかとなり安全装置への悪影響を回避することができる。
【００１４】
【発明の効果】
この発明は、前記のようであって、開閉可能な複数に分割された外カバーと、これら複数の外カバーの閉鎖に伴って作動するインターロックスイッチとを具えた画像形成装置の安全装置において、請求項１に記載の発明は、複数の外カバーのうちある順序で最後に閉鎖される特定の外カバーにのみ連動するインターロックスイッチを設けると共に、複数の外カバーの閉鎖順序が正規と異なる場合に、特定の外カバー以外の外カバーと連動しこの特定の外カバーの閉鎖を防止する閉鎖防止部材を配する一方、外カバー以外の物を前記閉鎖防止部材に当接してインターロックスイッチを不正に動作状態にしたまま、他の外カバーを開放状態にした場合、前記物を離して不正なスイッチ操作を止めた後、この物の除去に伴うインターロックスイッチの動作解除に連動した閉鎖防止部材を、初期位置に復帰させているので、インターロックスイッチの誤動作を防止できると共に、前記のように不正に操作されても閉鎖防止部材を適正な初期状態に復帰でき、インターロックスイッチによる画像形成装置の安全性及び信頼性の向上を図れるという効果がある。
【００１６】
請求項２に記載の発明は、開閉可能な複数に分割された外カバーと、これら複数の外カバーの閉鎖に伴って作動するインターロックスイッチとを具えた画像形成装置の安全装置において、複数の外カバーのうちある順序で最後に閉鎖される特定の外カバーにのみ連動するインターロックスイッチを設けると共に、複数の外カバーの閉鎖順序が正規と異なる場合に、特定の外カバー以外の外カバーと連動しこの特定の外カバーの閉鎖を防止する閉鎖防止部材を配する一方、他のカバーに連動する閉鎖防止部材の初期位置復帰をインターロックスイッチの動作解除に連動する部材の初期位置復帰の直前まで待機させているので、インターロックスイッチの誤動作が防止され、インターロックスイッチによる画像形成装置の安全性及び信頼性の向上を図れると共に、初期状態への復帰が比較的緩やかとなり、この復帰動作が装置へ影響を与えることを回避することができる。
【図面の簡単な説明】
【図１】この発明の第１実施形態が適用される複写機を示す概略斜視図である。
【図２】同外カバーの閉鎖状態を示す概略斜視図である。
【図３】（ａ）は安全装置の動作前を、（ｂ）は動作途中を、（ｃ）は動作後をそれぞれ示す概略図である。
【図４】同第２実施形態の（ａ）は安全装置の動作前を、（ｂ），（ｃ）は動作途中を、（ｄ）は初期状態復帰時をそれぞれ示す概略図である。
【図５】同第２実施形態の（ａ）は安全装置の動作前を、（ｂ）は動作途中を、（ｃ）は初期状態復帰時をそれぞれ示す概略図である。
【符号の説明】
１  複写機
２  安全装置
３  外カバー
４  外カバー
８  支軸
９  支軸
１０  回動レバー
１１  回動レバー
１２  鉤部
１３  鉤部
１５  押圧部
１６  押圧片
２５  インターロックスイッチ
【図１】
0003620960.tif 000002
【図２】
0003620960.tif 000003
【図３】
0003620960.tif 000004
【図４】
0003620960.tif 000005
【図５】
0003620960.tif 000006